(57)【要約】【課題】フロアタイルの固定が確実でかつ着脱が容易であって、タイル間の密着度が高められたフロアタイルを提供する。【解決手段】矩形状で複数連結可能とされ、各辺に係合雄部１０または係合雌部２０が形成され、係合雄部１０は、外方へ突出し、先端に嵌入頭部１２が設けられた雄部本体、嵌入頭部１２に設けられ、基端１６に対し先端部１５が変位可能とされた係合爪１３を備え、係合雌部２０は、厚み方向に凹み、他のフロアタイルの嵌入頭部１２を同厚み方向に嵌入可能とする凹所２３、凹所に設けられ、凹所２３に嵌入頭部１２を嵌入させる際に先端部１５に当接して先端部１５の通過を許し、係合爪１３の厚み方向外方への移動を阻止し、凹所２３から嵌入頭部１２を離脱させる際に、他のフロアタイルとの目地で折り曲げ、係合爪の外方への移動を許す係合壁部２４を備える。【選択図】図１
2009270308.tif 000002
【特許請求の範囲】
【請求項１】
平面視矩形に形成され、各辺を隣接させて複数互いに連結可能とされたフロアタイルであって、
前記各辺には、係合雄部および／または係合雌部が形成され、
前記係合雄部は、平面視前記各辺の外方へ突出し、先端に嵌入頭部が設けられた雄部本体と、前記嵌入頭部に設けられ、基端に対し先端部が弾性変形により変位可能とされた係合爪とを備え、
前記係合雌部は、タイル厚み方向に凹み、隣接させられる他のフロアタイルの前記嵌入頭部を同厚み方向に嵌入可能とする凹所と、
該凹所内に設けられ、該凹所内に前記嵌入頭部を嵌入させる際に前記係合爪に当接し、該係合爪の先端部を変位させてその通過を許す一方、この通過後の該先端部のタイル厚み方向外方への移動を阻止し、
該凹所内から前記嵌入頭部を離脱させる際に、当該フロアタイルに対し前記他のフロアタイルをこれらの目地部分を中心に折り曲げた状態で前記係合爪の先端部の前記外方への移動を許す係合壁部とを備えていることを特徴とするフロアタイル。
【請求項２】
前記凹所内には、該凹所内に前記嵌入頭部を嵌入させたときに、前記係合爪の先端部が弾性復帰して衝突し、該係合爪と協働して音を発する音発生壁部が形成されていることを特徴とする請求項１に記載のフロアタイル。  
【請求項３】
前記係合爪の先端部であって、該先端部が前記係合壁部に当接する部分に該先端部の通過を促進させるガイド面が形成されていることを特徴とする請求項１又は２に記載のフロアタイル。
【請求項４】
前記各辺の少なくとも両端部には、タイル厚み方向に連続し、前記他のフロアタイルのものと対向する外壁面を有する支持壁部が形成され、当該フロアタイルと前記他のフロアタイルとが、タイル厚み方向上端側における前記目地部分を頂部稜線部分として山形状に折り曲げ自在とされ、前記支持壁部の外壁面には各フロアタイルを該山形状に折り曲げたときに各支持壁部の干渉防止用の傾斜面が形成されていることを特徴とする請求項１から３のいずれかに記載のフロアタイル。
【発明の詳細な説明】
【技術分野】
【０００１】
本発明は、床等に複数敷きつめて使用され、互いに隣接するもの同士を連結できるようにしたフロアタイルに関する。
【背景技術】
【０００２】
従来、この種の床材として、例えば特許文献１から３に示されたものが提供されている。
これらの床材は、床材本体の側壁部に係合雄部と係合雌部からなる連結部を有し、単体の床材同士を互いに連結して、所望の広さの床を形成できるようにしたものである。
【０００３】
特許文献１に記載された床材は、図１４に示すように、矩形に形成されたタイル本体１００（一部省略）の側壁１０１に、嵌合孔１０２を形成するとともに、側壁１０１に切欠１０３を形成し、隣接するタイル本体１００の軸部１０４の先端に柱状体１０５が形成された構成とされている。この床材は、一のタイル本体１００の嵌合孔１０２に、他のタイル本体１００の柱状体１０５をタイル厚み方向に嵌入し、軸部１０４を切欠１０３内に位置させた状態で柱状体１０５を嵌合孔１０２内に嵌合させて複数のタイルを連結させるものである。
【０００４】
また、特許文献２に示す床材は、図１５に示すように、矩形のタイル本体２００の側壁部２０１に壁部２０２から２０６を形成したものである。これらの壁部２０２から２０６間には、空間部２０７、２０８、２０７を有する構成とされている。また、隣接するタイルの側壁部（不図示）には、先端にフック２０９、２０９ａ、２０９を有する係合雄部２１０、２１１、２１０が形成された構成とされている。これらのタイル本体２００は、一のタイル本体２００の空間部２０７、２０８、２０７内に他のタイル本体の係合雄部２１０、２１１、２１０を矢印Ａ方向に嵌入することにより、係合雄部２１０、２１１、２１０の各フック２０９、２０９ａ、２０９を、各壁部２０２、２０４等に係合させて複数の床材を連結するようにしたものである。
【０００５】
さらに、特許文献３に記載された床材は、図１６に示すように、一のタイル本体３００の側壁部（不図示）には、下端に係合爪３０５を有する係止体３０６が形成されており、他のタイル本体３００の側壁部には、外側係止受部３０７と内側係止受部３０８により構成される係止受部３０９とが設けられた構成とし、これら受部間に空間３１０が設けられた構成とされている。これらの床材は、一のタイル本体３００の係止爪３０５を有する係止体３０６を空間内３１０に挿入し、係止爪３０５を内側係止受部３０８の内側面に係合させることによって複数の床材を連結させるものである。これらの床材は、両者を取り外すときに、両床材間のタイル厚み方向における下端部側目地部分を稜線部として谷形状となるように折り曲げ、一の床材から他の床材を取り出すものである。
【特許文献１】実用新案登録第２５１３８６５号公報
【特許文献２】特開平１０−２９５５２７号公報
【特許文献３】特開２００５−１３９８５０号公報
【発明の開示】
【発明が解決しようとする課題】
【０００６】
ところで、上記特許文献１に記載された床材は、一のタイル本体１００の嵌合孔１０２内に他のタイル本体の柱状体１０５をタイル厚み方向に嵌入させただけの構成であり、床材の上下方向の変位に対する係止手段がないため、各タイル本体１００に力が加わった場合に、一のタイル本体１００から他のタイル本体１００が離脱してしまうという問題があった。つまり、この床材を床に敷き詰めて使用した場合に、上からの加重・衝撃があった場合や左右から強力な力が加わった場合には、床材の連結部が盛り上がったり、上下にがたついたりして、意図せずに各床材の連結が外れてしまうという問題があった。
【０００７】
また、特許文献２に開示された床材は、係合雄部２１０、２１１、２１０を壁部２０２、２０４等に係合させて連結を図るものであるから、多方向から力ないし衝撃が加えられた場合に連結部が外れないという利点があるが、床材を再び取り外したい場合においては、連結部に無理やり力を加えて取り外さざるを得ず、連結部の係合雄部２１０、２１１、２１０又は壁部２０２、２０４等の形状を変形させるか、破壊してしなければならず、連結解除後再利用できないという問題があった。
【０００８】
また、特許文献３に示された床材は、床材の連結部を、谷形状になるよう係止体３０６を回動し、床材の連結を解除できるようにしたものであるから、本床材の連結を解除する場合には、一のタイル本体３００から他のタイル本体３００を外すために両者を谷形状に折り曲げたときに、両床材の目地部分におけるタイル厚み方向の上端部３１１が干渉してしまい、取り外しが困難になるという問題があった。また、取り外しを容易にするためには、タイル厚み方向の上端部３１１を面取りすることが考えられるが、本床材を敷き詰めた場合には、床材間の目地部分に幅広の凹所ができることになり、機能的にも外観的にも問題が生ずるというものであった。また、連結部が谷折りに窪むことを前提としているため、連結部に上部から力が加わった場合に、意図せず床材間が谷形状になり、不用意に連結が外れてしまうという問題があった。
【０００９】
本発明は、上記事情に鑑みてなされたもので、フロアタイルの固定が確実でかつ着脱が容易であって、タイル間の密着度が高められているため機能的かつ外観的にも優れており、連結解除後にも再利用できる高機能なフロアタイルの提供を目的としている。
【課題を解決するための手段】
【００１０】
上記目的を達成するために、本発明は以下の手段を提供している。
第１の発明は、平面視矩形に形成され、各辺を隣接させて複数互いに連結可能とされたフロアタイルであって、前記各辺には、係合雄部および／または係合雌部が形成され、前記係合雄部は、平面視前記各辺の外方へ突出し、先端に嵌入頭部が設けられた雄部本体と、前記嵌入頭部に設けられ、基端に対し先端部が弾性変形により変位可能とされた係合爪とを備え、前記係合雌部は、タイル厚み方向に凹み、隣接させられる他のフロアタイルの前記嵌入頭部を同厚み方向に嵌入可能とする凹所と、該凹所内に設けられ、該凹所内に前記嵌入頭部を嵌入させる際に前記係合爪に当接し、該係合爪の先端部を変位させてその通過を許す一方、この通過後の該先端部のタイル厚み方向外方への移動を阻止し、該凹所内から前記嵌入頭部を離脱させる際に、当該フロアタイルに対し前記他のフロアタイルをこれらの目地部分を中心に折り曲げた状態で前記係合爪の先端部の前記外方への移動を許す係合壁部とを備えていることを特徴とするものである。
【００１１】
第２の発明は、前記凹所内には、該凹所内に前記嵌入頭部を嵌入させたときに、前記係合爪の先端部が弾性復帰して衝突し、該係合爪と協働して音を発する音発生壁部が形成されていることを特徴とするものである。
【００１２】
第３の発明は、前記係合爪の先端部であって、該先端部が前記係合壁部に当接する部分に該先端部の通過を促進させるガイド面が形成されていることを特徴とするものである。
【００１３】
第４の発明は、前記各辺の少なくとも両端部には、タイル厚み方向に連続し、前記他のフロアタイルのものと対向する外壁面を有する支持壁部が形成され、当該フロアタイルと前記他のフロアタイルとが、タイル厚み方向上端側における前記目地部分を頂部稜線部分として山形状に折り曲げ自在とされ、前記支持壁部の外壁面には各フロアタイルを該山形状に折り曲げたときに各支持壁部の干渉防止用の傾斜面が形成されていることを特徴とするものである。
【発明の効果】
【００１４】
本発明のフロアタイルによると、一のフロアタイルに他のフロアタイルを連結するにあたり、他のフロアタイルの係合雌部に係合雄部をタイル厚み方向に嵌合させ、この際、係合雄部に備えた係合爪を弾性変形させて嵌入することで、当該係合壁部を乗り越えて容易に両者を連結させることができ、かつ、一端連結すると、フロアタイルの厚み方向に力が加わっても、当該係合壁部が係合雄部の離脱を阻止するため、一のフロアタイルから他のフロアタイルが外れないという利点を有する。
また、連結を解除するには、一のタイルに対して他のタイルを意図的に山形状に折り曲げることで、容易に両者を離脱させることができる。したがって、本発明によるフロアタイルによると、必要に応じて各フロアタイルを容易にかつ欠損なく分離することができる。
また、本発明のフロアタイルによると、連結部を構成する係合爪の先端部は、係合壁部を乗り越えることを促進させるためにガイド面とされているので、係合爪の先端部が係合壁部を通過するための操作を円滑に行うことができ、フロアタイルの連結作業を容易に行うことができる。
また更に、本発明のフロアタイルによると、係合雄部が所定の位置に嵌合された際に、係合爪の上部の一部が前記係合雌部の一部と接触することにより音がする構成とされているため、連結部の連結を明確に確認することができる。
また更に、本発明のフロアタイルの構成によると、一のタイルから他のタイルを外す場合、両フロアタイルを山形状に折り曲げた際に支持壁部の下部が干渉することがないので、離脱作業を容易にすることができ、また、フロアタイルの目地部分を密着させやすいという利点を有する。
【発明を実施するための最良の形態】
【００１５】
以下、図面を参照して、この発明の一実施の形態について説明する。
【００１６】
図９、図１０は、本発明によるフロアタイルの一実施形態を示す図である。図９は、本発明によるフロアタイル１を複数床に敷き詰めて互いに連結した状態を示す斜視図、図１０は、同連結した状態における底面図である。図９に示すように各フロアタイル１は、所定の厚みを有し、平面視略矩形に形成されたものである。
【００１７】
図１は、本発明によるフロアタイルの底面斜視図であり、図２、３は、それぞれ図１の要部を拡大したものである。図１に示すようにフロアタイル１は、タイル本体２とタイル本体２の上面側に設けられた化粧板材３とからなるものである。タイル本体２は、ＡＢＳ、塩化ビニール、ポリプロピレン、ポリアミド等の合成樹脂より形成されたものである。
【００１８】
タイル本体２は、平面視矩形の本体４の各辺４ａから４ｄの角部に、支持壁部５ａから５ｄが形成され、一組の隣接する辺４ａ、４ｂに係合雄部１０が形成され、他の隣接する辺４ｃ、４ｄに係合雌部２０が形成されたものである。
【００１９】
係合雄部１０は、タイル本体２の辺４ａ、４ｂの長さ方向中央部に設けられたものであり、平面視矩形に形成された本体４の辺４ａ、４ｂの外方へ突出するように形成されている。
この係合雄部１０は、図２に示すように、前記外方へ突出する軸部１１と、当該軸部１１の先端部に設けられた嵌入頭部１２と、嵌入頭部１２に設けられた係合爪１３とからなっている。
嵌入頭部１２には、その先端側に切欠部１４ａが形成されており、この切欠部１４ａ内に係合爪１３が形成されている。これらの嵌入頭部１２、係合爪１３は、全体として平面視略矩形に形成されている。
【００２０】
係合爪１３は、嵌入頭部１２の底面から前方へ突出する基部１６と、基部１６から基部１６より厚み寸法を小とされた先端部１５とから成っている。
【００２１】
基部１６には、その下面に幅方向に向けて溝１７が形成されている。また、先端部１５の上端面には、ガイド面１８が形成されている。
【００２２】
合成樹脂により形成されている係合爪１３は、溝１７を備えていることにより、先端部１５に力が加えられたとき、後述するように肉厚の薄い溝１７部分を中心として矢印Ｐ方向に弾性変形し、先端部１５が変位できるように構成されている。
【００２３】
ガイド面１８は、係合爪１３が係合雌部２０に備えられた後述する係合壁部２４に係合した際に、係合壁部２４を通過するのを促進させる傾斜面として設けられている。
【００２４】
図１、３に示すように、係合雌部２０は、辺４ｃ、４ｄに設けられている。辺４ｃ、４ｄには、切欠部２５が形成されており、係合雌部２０は、この切欠部２５内に設けられている。
【００２５】
図３に示すように、係合雌部２０内は、平面視Ｃ字状に連続する壁部２１ａ、２１ｂ、及び２１ｃを備えており、壁部２１ａは切欠部２５の底面に沿うように設けられ、壁部２１ｂは壁部２１ａの両端から前記突出方向に突出するように設けられ、壁部２１ｃは、壁部２１ａと平行に設けられ、かつ、壁部２１ｂの両端から突出するよう形成されている。この構成の下に、各壁部２１ａ、２１ｂ、２１ｃ内には嵌入凹部２３（凹所）が形成されており、壁部２１ｃ、２１ｃ間は開口部２６となっている。
嵌入凹部２３は、平面視略矩形形状の凹部であり、前述した係合雄部１０の嵌入頭部１２をその内部にタイル厚み方向から嵌入可能とするもので、矩形形状の各辺方向の寸法が、嵌入頭部１２が嵌入された際に、嵌入頭部１２が各辺方向の寸法、即ち本体４の辺４ｃ、４ｄに沿う方向、及びこれに直交する方向に極僅かに動きうる寸法とされている。
【００２６】
また、嵌入凹部２３は、壁部２１ａ部分に空間部２２を備えている。この壁部２１ａには、後述するように、嵌入凹部２３内に嵌入頭部１２を挿入したときに係合爪１３の先端部１５が当接し、更にその挿入途中において係合爪１３を変形させて通過させる係合壁部２４が形成されている。
【００２７】
また更に、壁部２１ａのタイル厚み方向上端部側には、係合爪１３が弾性復帰した場合に衝突して該係合爪１３と協働して音を発生する、音発生壁部２８が形成されている。
【００２８】
なお、空間部２２は、後述するように嵌入凹部２３から嵌入頭部１２を取り出す際に、本フロアタイル１と他のフロアタイル１とを山形状に折り曲げる際に、係合爪１３の先端部１５が自由に動きうるスペースとなる。
【００２９】
図１に示すように、支持壁部５ａから５ｄは、本体４の角部から外方へ突出する様に設けられたものであり、外観略角柱状に形成されたものである。これらの支持壁部５ａから５ｄの詳細は、図８に示すように、その外端面６が本体４の各辺と平行に設けられ、本体４と一体的に形成されたものである。支持壁部５ａから５ｄは、その上端面に平面視Ｌ字状の保持壁部７を備えている。
【００３０】
保持壁部７は、タイル本体２の四隅に形成されたものであり、各保持壁部の内部には、後述する化粧板材３が嵌入されるようになっている。
【００３１】
支持壁部５ａから５ｄの外端面６は、図８に示すように、上端側から下端側に向けてタイル本体２内方へ漸次傾斜する面とされている。このように形成された傾斜面６ａは、後述するように、隣接するフロアタイル１の連結を解除するために各フロアタイルの目地部分を山形状に折り曲げたときに、相互に隣り合う支持壁部５同士が干渉し合うのを防止するためのものである。
【００３２】
図１、図９に示すように、化粧板材３は、平面視矩形に形成されたものであって、一定の厚みを有する板体の表面に、適宜化粧用の凹凸模様等を形成したものである。
この化粧板材３は、木材、繊維板、自然石、セラミック、合成樹脂等の各種材料から形成されたものである。
この化粧板材３は、タイル本体２の上面側において４つの保持壁部７間に嵌入され、接着剤等によってタイル本体２の上面に固定されている。
【００３３】
次に、上記のように構成されたフロアタイルを複数床等に敷き詰める方法について説明する。
まず、図９に示すように、一のフロアタイル１に対して他のフロアタイル１を隣接させ、図４、５に示すように一のフロアタイル１の係合雌部２０と他のフロアタイル１の係合雄部１０とを、相互に平行する平面上に、かつ各辺が対向するよう位置させ、係合雄部１０を係合雌部２０より下に配置した状態で、フロアタイル１と他のフロアタイル１とを上下方向に相互に移動させ、係合雄部１０の嵌入頭部１２を係合雌部２０の嵌入凹部２３に嵌入させる。
嵌入頭部１２が嵌入凹部２３内に嵌入されると、係合爪１３の先端部１５が係合壁部２４に当接する。嵌入頭部１２を、嵌入凹部２３の更に奥部へと嵌入さようとすると、図４に示すように、先端部１５に設けたガイド面１８が係合壁部２４に当接し、係合爪１３に設けられた溝１７が弾性変形することによって先端部１５が変位する。係合爪１３は、その先端部１５のガイド面１８が係合壁部２４に当接すると、係合爪１３の溝１７部分を弾性変形させつつタイル本体２の上部方向へ滑ることによって、嵌入頭部１２を嵌入凹部２３内に導入していき、図５に示すように、先端部１５が係合壁部２４を通過して、係合壁部２４のタイル厚み方向上端側に位置する空間部２２に嵌合される。この際、係合爪１３は、ガイド面１８を有することで、このガイド面１８が係合壁部２４に対して相対的に滑りつつ、空間部２２方向への嵌入を円滑に行うことができる。
【００３４】
空間部２２内に嵌入する過程の係合爪１３は、図４に示すように、先端部１５と係合壁部２４とによる圧迫のため依然溝１７部分において弾性変形している状態であるが、その先端部１５が空間部２２内に嵌入し切った際には、図５に示すように、先端部１５と係合壁部２４との間の圧迫から開放されて、空間２２内で弾性復帰し、その弾性復帰の際に音発生壁部２８に衝突する。ここで音発生壁部２８は係合爪１３と協働して、パチッと音を立てることになる。このように音が発生することによって、複数のフロアタイル１の連結作業において、連結が確実に行われたことを確認できる。
【００３５】
以上のようにして一端連結された複数のフロアタイル１は、図５のように係合爪１３がその下面において係合壁部２４に当接し、かつ、先端部１５の上面が音発生壁部２８及び化粧板材３の底面に当接するという状態になる。したがって、一のフロアタイル１と他のフロアタイル１とを相互に上下反対方向に変位させることができず、また、両フロアタイルの目地部分を谷形状に曲げることが阻止されるため、当該一のフロアタイル１から他のフロアタイル１が抜けること、及び、目地部分に上部から加重された場合に係合雄部１０が係合雌部２０から離脱してしまうことを防止することができる。
【００３６】
次に、これら連結したフロアタイルを取り外す操作について、図６、７を用いて説明する。
図６に示すように、一のフロアタイル１に対して他のフロアタイル１を、目地部分を中心に山形状に折り曲げると、図７に示すように、係合壁部２４及び音発生壁部２８が障害とならなくなるため、一のフロアタイル１を、係合爪１３の突出方向と逆方向（矢印Ｑ方向）に容易に引き抜くことができ、嵌入頭部１２を嵌入凹部２３からスムーズに離脱させることができる。この際、係合爪１３は、その先端部１５が空間部２２内で回動することができ、フロアタイル１の折り曲げに際して本体４の側面等に当接することがなく、同折り曲げ作業を容易に行うことができる。
また、支持壁部５は、図８に示すようにフロアタイル１を目地部分を中心に山形状に折り曲げても、隣接するフロアタイル１の支持壁部５との間で互いに干渉しないような傾斜面６ａとされているため、隣接するフロアタイル同士を所定の角度まで確実に、無理なく折り曲げることでき、フロアタイル同士の分離を容易に行うことができる。
【００３７】
本発明によるフロアタイル１の係合雄部１０及び係合雌部２０は、係合爪１３が図２に示すように一体的な形状とする場合の他、図１１、１２に示すように、複数の係合爪１３から成る形状とすることも可能である。
【００３８】
図１３は、タイル本体２の構成の変形例を示すものである。この図１３に示す例のタイル本体２は、中実の板状体としたものとはせず、タイル本体の内部を、円、直線等の一定の形状を有する薄圧の壁部により構成したものである。この構成によれば、タイル本体を軽量化し、また水を使用する環境における使用においては、排水を良好にする効果を有する。
【００３９】
以上のように、本発明のフロアタイル１によると、一のフロアタイル１に他のフロアタイル１を連結するにあたり、他のフロアタイル１の係合雌部２０に係合雄部１０を厚み方向に嵌合させ、係合雄部１０の着脱の障害となる係合壁部２４を持つ係合雌部２０に対し、係合雄部１０に備えた係合爪１３を弾性変形させて嵌入することで、当該係合壁部２４を乗り越えて容易に両者を連結させることができ、かつ、一端連結すると、フロアタイル１の厚み方向に力が加わっても、当該係合壁部２４が係合爪１３に引っかかり、係合雄部１０の離脱を阻止するため、一のフロアタイル１から他のフロアタイル１が外れないという利点を有する。
【００４０】
また、連結を解除するには、一のフロアタイル１に対して他のフロアタイル１を意図的に目地部分で山形状に折り曲げて、係合壁部２４及び音発生壁部２８にも引っかからないように引き抜くことで、一のフロアタイル１から他のフロアタイル１を容易に離脱させることができる。したがって、本発明によるフロアタイルによると、必要に応じて各フロアタイルを容易にかつ欠損なく分離することができる。
【００４１】
また、本発明のフロアタイル１によると、連結部を構成する係合雄部１０の先端部１５には、係合壁部２４を乗り越えることを促進させるために傾斜形状のガイド面１８が形成されているので、係合爪１３の先端部１５が係合壁部２４を通過するための操作を円滑に行うことができ、フロアタイル１の連結作業を容易に行うことができる。
【００４２】
また更に、本発明のフロアタイル１によると、係合雄部１０が所定の位置に嵌合された際に、係合雄部１０の上部の一部が前記係合雌部２０の音発生壁部２８と接触することにより音がする構成とされているため、連結部の連結が確実となった状態を容易に確認することができる。
【００４３】
また更に、本発明のフロアタイル１の構成によると、一のフロアタイル１から他のフロアタイル１を外す場合、両フロアタイル１、１を目地部分で山形状に折り曲げても支持壁部５の下部の傾斜面６ａが干渉することがないので、離脱作業を容易にすることができ、引いてはフロアタイル１の目地部分を密着させやすいという利点を有する。
【図面の簡単な説明】
【００４４】
【図１】本発明の一実施形態として示したフロアタイルの裏面側から視た斜視図である。
【図２】同フロアタイルの係合雄部の拡大図である。
【図３】同フロアタイルの係合雌部の拡大図である。
【図４】同フロアタイルの使用状態を示す縦段面図である。
【図５】同フロアタイルの使用状態を示す縦段面図である。
【図６】同フロアタイルの使用状態を示す縦段面図である。
【図７】同フロアタイルの使用状態を示す縦段面図である。
【図８】同フロアタイルの支持壁部の拡大斜視図である。
【図９】同フロアタイルを複数床等に敷き詰めた状態を示す斜視図である。
【図１０】同フロアタイルを複数床等に敷き詰めた状態を示す底面図である。
【図１１】本発明によるフロアタイルの係合雄部の別の例を示す拡大斜視図である。
【図１２】本発明によるフロアタイルの係合雌部の別の例を示す拡大斜視図である。
【図１３】本発明によるフロアタイル本体の構成の変形例を示す底面斜視図である。
【図１４】従来の床材による連結部の例である。
【図１５】従来の床材による連結部の例である。
【図１６】従来の床材による連結部の例である。
【符号の説明】
【００４５】
１  フロアタイル
２  タイル本体
３  化粧板材
４  本体
５  支持壁部
６  外端面
６ａ  傾斜面
１０  係合雄部
１１  軸部
１２  嵌入頭部
１３  係合爪
１５  先端部
１６  基部
１７  溝
１８  ガイド面
２０  係合雌部
２２  空間部
２３  凹所、嵌入凹部
２４  係合壁部
２５  切欠部
２６  開口部
２８  音発生壁部
【図１】
2009270308.tif 000003
【図２】
2009270308.tif 000004
【図３】
2009270308.tif 000005
【図４】
2009270308.tif 000006
【図５】
2009270308.tif 000007
【図６】
2009270308.tif 000008
【図７】
2009270308.tif 000009
【図８】
2009270308.tif 000010
【図９】
2009270308.tif 000011
【図１０】
2009270308.tif 000012
【図１１】
2009270308.tif 000013
【図１２】
2009270308.tif 000014
【図１３】
2009270308.tif 000015
【図１４】
2009270308.tif 000016
【図１５】
2009270308.tif 000017
【図１６】
2009270308.tif 000018